(57)【要約】【課題】元竿の竿尻端部のネジ部と尻栓のネジ部との少なくとも一方に、合理的な改造を加えることによって、長期使用に亘る場合にも機能低下が抑制される尻栓緩み止め手段を装備してある釣り竿を提供する。【解決手段】元竿１の竿尻端部１Ｂに尻栓４を螺着した状態で、元竿１に保持された保持体６のネジ部６ａとの接触によって径方向に撓み変形するとともに変形前の姿勢に自己復帰しようとして、その元竿１のネジ部に圧接する膨出部４Ｂを、尻栓４におけるネジ部４ａの周方向の一部に設けてある。【選択図】図３
2009291114.tif 000002
【特許請求の範囲】
【請求項１】
元竿の竿尻端部に尻栓を螺着した状態で、相手側のネジ部との接触によって径方向に撓み変形するとともに変形前の姿勢に自己復帰しようとして、その相手側のネジ部に圧接する尻栓緩み止め手段を、互いに螺合するネジ部の少なくとも一方の周方向の一部に設けてある釣り竿。
【請求項２】
前記尻栓緩み止め手段が、前記尻栓のネジ部の周方向の一部に形成され前記ネジ部のネジ山先端より径方向外方に突出して、前記相手側ネジ部に圧接可能な膨出部である請求項１記載の釣り竿。
【請求項３】
前記尻栓緩み止め手段が、前記元竿の竿尻端部におけるネジ部の周方向の一部に形成され前記ネジ部のネジ山先端より径方向外方に突出して、前記相手側ネジ部に圧接可能な膨出部である請求項１記載の釣り竿。
【発明の詳細な説明】
【技術分野】
【０００１】
本発明は、元竿の竿尻端部に尻栓を螺着した状態で、前記尻栓の緩みを阻止する尻栓緩み止め手段を設けてある釣り竿に関する。
【背景技術】
【０００２】
尻栓緩み止め手段としては、尻栓の雄ネジ部と元竿の竿尻端部の雌ネジ部とで螺合部を構成し、螺合部より軟質の材料からなる被膜を選択して、螺合部に摩擦係数の高い軟質性の被膜を施したものがある（特許文献１参照）。
【０００３】
【特許文献１】特開平１０−４８２７号（段落番号〔０００６〕〔００１０〕、及び、図１、図２）
【発明の開示】
【発明が解決しようとする課題】
【０００４】
上記被膜を施したものでは、その被膜自体が薄いものでありかつ摩擦係数の高いものでもあるので、尻栓を着脱操作する毎に被膜がネジリ作用を受けて傷みを生じ、緩み止め機能が長期使用によって低下することが考えられる。
【０００５】
本発明の目的は、元竿の竿尻端部のネジ部と尻栓のネジ部との少なくとも一方に、合理的な改造を加えることによって、長期使用に亘る場合にも機能低下が抑制される尻栓緩み止め手段を装備してある釣り竿を提供する点にある。
【課題を解決するための手段】
【０００６】
〔構成〕
請求項１に係る発明の特徴構成は、元竿の竿尻端部に尻栓を螺着した状態で、相手側のネジ部との接触によって径方向に撓み変形するとともに変形前の姿勢に自己復帰しようとして、その相手側のネジ部に圧接する尻栓緩み止め手段を、互いに螺合するネジ部の少なくとも一方の周方向の一部に設けてある点にあり、その作用効果は次の通りである。
【０００７】
〔作用〕
つまり、尻栓緩み止め手段として、互いに螺合するネジ部の少なくともいずれか一方における周方向の一部を、径方向に撓み変形するとともに変形前の姿勢に自己復帰しようとして、その相手側のネジ部に圧接するものを採用した。
したがって、尻栓を装着操作する際には、尻栓緩み止め手段は径方向に撓み変形を生じて相手側ネジ部との干渉を回避し乍、元の姿勢に戻ろうとする自己復帰力を発揮して相手側ネジ部に圧接する。このことによって、緩み止め機能を発揮する。
【０００８】
〔効果〕
このように、尻栓の着脱操作時には、撓み変形して摩擦損傷を回避しながら、装着状態においては圧接力を発揮する構成の採用によって、長期に亘って安定した緩み止め機能を発揮するものを提供できるに至った。
【０００９】
請求項２に係る発明の特徴構成は、前記尻栓緩み止め手段が、前記尻栓のネジ部の周方向の一部に形成され前記ネジ部のネジ山先端より径方向外方に突出して、前記相手側ネジ部に圧接可能な膨出部である点にあり、その作用効果は次の通りである。
【００１０】
〔作用効果〕
つまり、尻栓のネジ部の一部に、相手側ネジ部としての元竿の竿尻端部に向けて突出する膨出部を形成する。膨出部は、尻栓を装着操作する際には、径方向に撓み変形を生じて相手側ネジ部との干渉を回避しながら自己復帰力を発揮して相手側ネジ部に圧接する。このことによって、緩み止め機能を発揮する。
したがって、単に、ネジ部に膨出部を形成し、その膨出部を撓み変形可能に構成することによって、長期使用に耐え得る尻栓緩み止め手段を構築できるに至った。
【００１１】
請求項３に係る発明の特徴構成は、請求項１に係る発明において、前記尻栓緩み止め手段が、前記元竿の竿尻端部におけるネジ部の周方向の一部に形成され前記ネジ部のネジ山先端より径方向外方に突出して、前記相手側ネジ部に圧接可能な膨出部である点にあり、その作用効果は次の通りである。
【００１２】
〔作用効果〕
つまり、元竿の竿尻端部のネジ部の一部に、相手側ネジ部としての尻栓に向けて突出する膨出部を形成する。この構成によって、膨出部は、尻栓を装着操作する際には、径方向に撓み変形を生じて相手側ネジ部との干渉を回避しながら、自己復帰力を発揮して相手側ネジ部に圧接する。このことによって、緩み止め機能を発揮する。
したがって、単に、ネジ部に膨出部を形成し、その膨出部を撓み変形可能に構成することによって、長期使用に耐え得る尻栓緩み止め手段を構築できるに至った。
【発明を実施するための最良の形態】
【００１３】
〔第１実施形態〕
渓流竿、鮎竿等の伸縮式の釣り竿Ａについて説明する。図１に示すように、釣り竿Ａを元竿１、元上２、元上々３等の中竿、穂先竿、元竿１の竿元側端に尻栓４を設けて構成し、中竿、穂先竿を元竿１内に収納する収縮状態と元竿１から引き出した伸長状態とに切り換え可能に構成してある。
【００１４】
収縮状態を保持する収縮保持手段Ｐについて説明する。図１に示すように、元竿１の竿尻端部１Ｂの内周面に保持体６を内嵌して装備し、この保持体６で元上２の竿尻端部２Ｂ、及び、元上々３の竿尻端部３Ｂ等を嵌合保持すべく構成する。保持体６の竿元側の内周面に雌ネジ６ａを形成すると共に，尻栓４の大径摘まみ部４Ａの竿先側に雄ネジ４ａを形成して、尻栓４を螺着可能に構成し、尻栓４の先端側に穂先竿等を収納状態で受け止める座ゴム５を設けてある。
【００１５】
保持体６について説明する。保持体６は、ＮＢＲ等のゴムやナイロン等の合成樹脂等を材料として形成されるもので、図１に示すように、竿先側開口端から竿元側に向けて、元上２の竿尻端部２Ｂを内嵌保持する元上用保持座６Ａと、元上用保持座６Ａより小径でその元上用保持座６Ａより竿元側に元上々３の竿尻端部３Ｂを保持する元上々用保持座６Ｂと、他の中竿、穂先用の他の保持座６Ｃとを備えている。
【００１６】
一方、収縮保持手段Ｐを竿先側において形成する構造について説明する。図１に示すように、元上２の竿先端部２Ａの外周面に嵌合用の大径膨出部２ａを形成するとともに、元竿１の竿先端部１Ａの内周面を嵌合面として、元上２を元竿１内に収納する際に、元上２の竿先端部２Ａの大径膨出部２ａを元竿１の竿先端部１Ａの内周面に内嵌するように構成してある。
【００１７】
以上のような構成によって、図１（イ）に示すように、元竿１内に収縮収納される元上２は、竿先端部２Ａの外周面の大径膨出部２ａを元竿１の竿先端部１Ａの内周面に嵌合するとともに、竿尻端部２Ｂの外周面を保持体６の元上用保持座６Ａに内嵌して、元上２の収縮状態を保持するように構成してある。
【００１８】
したがって、元上２の竿先端部２Ａの外周面の大径膨出部２ａと元竿１の竿先端部１Ａの内周面との嵌合状態、及び、元上２の竿尻端部２Ｂの外周面と保持体６の元上用保持座６Ａの内周面との嵌合状態によって、収縮保持手段Ｐを構成する。
【００１９】
図１（イ）に示すように、元上々３についても、同様に収縮保持手段Ｐが構成してある。つまり、元上々３の竿先端部３Ａの外周面に嵌合用の大径膨出部３ａを形成するとともに、元上２の竿先側端部２Ａの内周面を嵌合面として、元上々３を元上２内に収納する際に、元上々３の竿先端部３Ａの大径膨出部３ａを元上２の竿先端部２Ａの内周面に内嵌するように構成してある。
【００２０】
伸長保持手段Ｑについて元上２と元竿１とを代表させて説明する。図１（ロ）に示すように、前述した、元上２の竿尻端部２Ｂの外周面に形成した大径膨出部を、元竿１の竿先端部１Ａの内周面に嵌合させる。これによって、元上２を元竿１に対して伸長状態に保持できる。
図示してはいないが、元上々３の竿尻端部３Ｂの外周面に形成した大径膨出部を、元上２の竿先端部２Ａの内周面に嵌合させることによって、元上々３を伸長状態に保持できる。
このように、中竿、及び、穂先竿においても、同様に伸長状態を得ることができる。
【００２１】
次に、尻栓４の緩み止め手段Ｂについて説明する。
図２に示すように、大径摘み部４Ａの先端側に小径の雄ネジ部４ａを設けてあり、雄ネジ部４ａの円周方向の一部に膨出部４Ｂを設けてある。膨出部４Ｂは、雄ネジ部４ａの一部を３辺に亘って切り込み溝４ｂを入れて区画されており、大径摘み部４Ａの背面に取り付けられた状態で片持ち状に支持されている。膨出部４Ｂの外面４ｃは、図３（ａ）に示すように、雄ネジ部４ａのネジ山先端より径方向外方に突出する状態に形成されるとともに、膨出部４Ｂの内面４ｄは、雄ネジ部４ａの内面と同一径の位置に設定してある。膨出部４Ｂと大径摘み部４Ａの背面との接続上面部位には、凹入溝４ｅが形成してあり、薄肉部分に構成してある。
【００２２】
以上のような構成によって、図３（ｂ）に示すように、尻栓４を元竿１の竿尻端部１Ｂの保持体６における雌ネジ部６aに螺合させた場合には、膨出部４Ｂの外面４ｃが雌ネジ部６ａによって縮径方向に押し込み作用を受けて、前記薄肉部分を基端にして内側に撓み変形する。
そうすると、膨出部４Ｂは元の変形前の姿勢に復帰しようとするところから、膨出部４Ｂの外面４ｃが元竿１の竿尻端部１Ａの保持体６における雌ネジ部６aに圧接するところから、尻栓４はその圧接力による反力を受けて、尻栓４の緩みが抑制される。
ここに、膨出部４Ｂと保持体６における雌ネジ部６ａとで緩み止め付与手段Ｂを構成する。
【００２３】
〔第２実施形態〕
ここでは、尻栓４に緩み止め用の膨出部４Ｂを設ける構成において、図４に示すように、膨出部４Ｂの外面４ｃに大径の雄ネジ部４ｆを形成してある。このような構成によって、尻栓４が保持体６に螺合させた場合に、その膨出部４Ｂの外面４ｃに形成した雄ネジ部４ｆが保持体６の雌ネジ６ａに螺合することとなり、尻栓４の装着状態をより強固なものとなる。
【００２４】
〔第３実施形態〕
前記した構成では、尻栓４に緩み止め構造としての膨出部４Ｂを形成したが、ここでは、尻栓４を取り付ける側に膨出部１Ｃを設ける構成について説明する。
図５に示すように、元竿１の竿尻端部１Ｂの外周面に雄ネジ部１ａを形成する一方、尻栓４を基端摘み部４Ｃと基端摘み部４Ｃから竿先側に向けて延出された筒状部４Ｄとで構成し、筒状部４Ｄの内周面に雌ネジ部４ｇを形成している。そして、筒状部４Ｄの雌ネジ部４ｇを元竿１の竿尻端部１Ｂの雄ネジ部１ａに螺合させることによって、尻栓４を装着可能である。
【００２５】
具体的には、元竿１の竿尻端部１Ｂに、段付き部を介して小径部分を形成し、その小径部分の外面に尻栓装着用の雄ネジ部１ａを形成してある。この雄ネジ部１ａには、円周方向の一部で前記段付き部より一定長さに亘って竿尻端に向けて膨出部１Ｃが形成してある。
膨出部１Ｃは、図２（ａ）で示す場合と同様に、段付き部から竿尻側に向けた左右一対の切り欠き溝１ｂと周方向に沿ったひとつの切り欠き溝１ｂとで片持ち状態に切り加工され、かつ、段付き部との接続位置に周方向に沿った凹入溝１ｅが設けてある。
膨出部１Ｃの外面は凹凸のない円弧面に形成されており、元竿１の竿尻端部１Ｂの外周面径より小径であるが、雄ネジ部１ａより大径に形成してある。
【００２６】
このような構成になる元竿１の竿尻端部１Ｂに尻栓４を装着すると、図５（ｂ）に示すように、膨出部１Ｃが尻栓４に形成された雌ネジ部４ｇに押し込められて、元竿１の内部空間内に撓み変形し、雄ネジ部４ｇに圧接する。このように、膨出部１Ｃが尻栓４の雌ネジ部４ｇに圧接することによって尻栓４の緩み止め機能が発揮される。
【００２７】
〔別実施形態〕
（１）膨出部４Ｂ、１Ｃとして、円周方向における一箇所にだけ形成したものを説明したが、円周方向複数箇所に膨出部４Ｂ、１Ｃを形成してもよい。
【００２８】
（２）上記実施形態においては、渓流竿で説明したが、本発明を鮎竿や磯竿等に適用してもよい。
【００２９】
（３）上記実施形態においては、尻栓４を取り付ける対象として、元竿１内に装着している保持体６に形成したネジ部６ａを選定してあるが、直接、元竿１に設けたネジ部を取り付けの対象としてもよい。
【図面の簡単な説明】
【００３０】
【図１】（ａ）元上、元々上を元竿内に収縮した状態を示す縦断側面図、（ｂ）元上を元竿より引き出した状態を示す縦断側面図
【図２】尻栓の平面図
【図３】（ａ）膨出部を形成した尻栓を元竿に装着する前の状態を示す縦断側面図、（ｂ）は尻栓を元竿に装着した状態を示す縦断側面図
【図４】膨出部の外面にネジ部を形成した状態を示す縦断側面図
【図５】（ａ）膨出部を形成した元竿に、尻栓を装着する前の状態を示す縦断側面図、（ｂ）膨出部を形成した元竿に尻栓を装着した状態を示す縦断側面図
【符号の説明】
【００３１】
１      元竿
１Ｂ    竿尻端部
１Ｃ    膨出部
１ａ    雄ネジ部
４      尻栓
４Ｂ    膨出部
４ａ    雄ネジ部
４ｇ    雌ネジ部
Ａ      釣り竿
Ｂ      緩み止め手段
【図１】
2009291114.tif 000003
【図２】
2009291114.tif 000004
【図３】
2009291114.tif 000005
【図４】
2009291114.tif 000006
【図５】
2009291114.tif 000007